(57)【要約】【課題】リモコン信号の受信検査を簡単かつ確実に行う。【解決手段】スイッチ３５ａ〜３５ｄの操作に応じた所定の信号を送信するリモコン３３と、受信素子２１や、搭載した負荷部品６，８ａ，１０，１６，１８，２３に電力を供給する電源回路部３０を実装した制御回路を有し、受信素子２１で受信した信号に基づいて負荷部品６，８ａ，１０，１６，１８，２３を停止または所定のモードで動作させる機器本体とを備えた電気製品（空気清浄機１）において、機器本体が実際に動作する範囲において、制御回路が最高にノイズを発生する状態で負荷部品６，８ａ，１０，１６，１８，２３を動作させ、その状態で受信素子２１によってリモコン３３からの信号を受信可能か否かを検査する受信素子検査工程を設ける。【選択図】　図１
2004028489.tif 000002
【特許請求の範囲】
【請求項１】
動作設定操作用のスイッチを有し、操作に応じた所定の信号を送信するリモコンと、
前記リモコンからの信号を受信する受信素子や、搭載した負荷部品に電力を供給する電源回路部を実装した制御回路を有し、前記受信素子で受信した信号に基づいて負荷部品を停止または予め設定した所定のモードで動作させる機器本体とを備えた電気製品において、
前記機器本体が実際に動作する範囲において、前記制御回路が最高にノイズを発生する状態で前記負荷部品を動作させ、その状態で前記受信素子によって前記リモコンからの信号を受信可能か否かを検査する受信素子検査工程を設けたことを特徴とする遠隔操作可能な電気製品。
【請求項２】
動作設定操作用のスイッチを有し、操作に応じた所定の信号を送信するリモコンと、
前記リモコンからの信号を受信する受信素子や、搭載した負荷部品に電力を供給する電源回路部を実装した制御回路を有し、前記受信素子で受信した信号に基づいて負荷部品を停止または予め設定した所定のモードで動作させる機器本体とを備えた電気製品において、
前記機器本体が実際に動作する範囲において、前記制御回路の電圧が最高に降下する状態で前記負荷部品を動作させ、その状態で前記受信素子によって前記リモコンからの信号を受信可能か否かを検査する受信素子検査工程を設けたことを特徴とする遠隔操作可能な電気製品。
【発明の詳細な説明】
【０００１】
【発明の属する技術分野】
本発明は、リモコンによって遠隔操作可能な電気製品に関するものである。
【０００２】
【従来の技術】
近年の電気製品では、リモコンにより遠隔操作可能としたものが種々提供されている。前記リモコンは、動作設定操作用の複数のスイッチを備え、その外装体の一端には、操作に応じた所定の信号を出力する送信素子が設けられている。また、機器本体は、前記リモコンからの信号を受信する受信素子を備え、該受信素子で受信した信号に基づいて搭載した負荷部品を設定された所定のモードで動作させるようになっている。
【０００３】
また、このような電気製品は、製造メーカにて組み立てが完了すると、各負荷部品の動作状態を検査し、必要に応じて補正を行うことにより、各機器毎に精度が異なるという品質のバラツキが生じることを防止している。そのうち、前記機器本体の受信素子の検査では、この受信素子にのみ電源回路部から電力が供給されるようにして、受信精度を検査している。
【０００４】
【発明が解決しようとする課題】
しかしながら、前記電気製品は、前記電源回路部の特性により、負荷部品に供給する電力が大きくなると、前記受信素子での受信が不可能な状況になるという問題がある。具体的には、電源回路部として、降圧型チョッパー方式等の周知の方法により降圧させて直流低電圧を得るスイッチング電源回路部を適用した場合、供給電力が大きくなるとノイズを発生し、そのノイズにより受信素子が正確な受信を行えないという問題が生じる。また、電源回路部としてトランス方式の電源回路部を適用した場合、供給電力が大きくなると供給電圧が降圧し、電圧不足により受信素子が正確な受信を行えないという問題が生じる。
【０００５】
なお、これらの問題は、設計の段階では電気製品がどのような動作状態であっても各機能に支障が生じないように設計されているが、各部品の精度の誤差の累積により生じる可能性があるものである。
【０００６】
そこで、本発明では、リモコン信号の受信検査を簡単かつ確実に行うことができる遠隔操作可能な電気製品を提供することを課題とするものである。
【０００７】
【課題を解決するための手段】
前記課題を解決するため、第１の発明の遠隔操作可能な電気製品は、動作設定操作用のスイッチを有し、操作に応じた所定の信号を送信するリモコンと、前記リモコンからの信号を受信する受信素子や、搭載した負荷部品に電力を供給する電源回路部を実装した制御回路を有し、前記受信素子で受信した信号に基づいて負荷部品を停止または予め設定した所定のモードで動作させる機器本体とを備えた電気製品において、前記機器本体が実際に動作する範囲において、前記制御回路が最高にノイズを発生する状態で前記負荷部品を動作させ、その状態で前記受信素子によって前記リモコンからの信号を受信可能か否かを検査する受信素子検査工程を設けた構成としている。
【０００８】
また、第２の発明の電気製品は、動作設定操作用のスイッチを有し、操作に応じた所定の信号を送信するリモコンと、前記リモコンからの信号を受信する受信素子や、搭載した負荷部品に電力を供給する電源回路部を実装した制御回路を有し、前記受信素子で受信した信号に基づいて負荷部品を停止または予め設定した所定のモードで動作させる機器本体とを備えた電気製品において、前記機器本体が実際に動作する範囲において、前記制御回路の電圧が最高に降下する状態で前記負荷部品を動作させ、その状態で前記受信素子によって前記リモコンからの信号を受信可能か否かを検査する受信素子検査工程を設けた構成としている。
【０００９】
この電気製品では、実際に動作する範囲において、制御基板の回路が最高にノイズを発生する状態、または、最高に電圧が降下する状態でリモコンからの信号を受信する受信素子の検査工程を行うため、各部品の精度の誤差の累積により生じる受信素子での受信が不可能な状況になるという問題を確実に防止できる。
【００１０】
【発明の実施の形態】
以下、本発明の実施の形態を図面に従って説明する。
図１から図３は、本発明の実施形態に係る遠隔操作可能な電気製品である空気清浄機１を示す。この空気清浄機１は機械集塵式であり、ファン８を動作させることにより室内に浮遊する粉塵やガスを含んだ空気をケーシング２内に吸引し、清浄フィルタ５を通して吸引した空気を清浄した後、清浄した空気を機体の外部に循環供給するものである。
【００１１】
前記ケーシング２は、前後部を開口した基礎枠３と、該基礎枠３の前側開口を遮蔽する前カバー１１と、前記基礎枠３の後側開口閉鎖する後カバー１４とからなる。
【００１２】
前記基礎枠３は、略前後中央部を仕切る仕切板４を備え、この仕切板４によって区画した前側に清浄フィルタ５と、ガスセンサ６を実装した表示基板７が配設されている。また、仕切板４の後側には、ファン８と制御基板２９とが配設されている。前記仕切板４には、図示しない多数の通気孔が形成されている。また、仕切板４には、ファン８を囲繞する略渦形状の隔板９が一体に設けられ、この隔板９によりファン８の収容部と制御基板２９の収容部とに区画されている。ファン８の収容部内、即ち、隔壁の内面には、マイナス電極とプラス電極とで構成され、電圧の印加により両電極間に介在する空気中の微粒子をマイナスイオン化するマイナスイオン発生装置（図５参照）が設けられている。
【００１３】
前記前カバー１１は、上下方向に延びるスリットからなる多数の吸込口１２を備え、その中央部には、上下方向に延びる前記表示基板７に対応する操作パネル１３が配設されている。
【００１４】
前記後カバー１４は、前記基礎枠３に取り付けることによって、その内面と前記隔板９とを当接させてこれらの間をシールするものである。この後カバー１４の上端には、前記基礎枠３の隔板９内と連通する吹出口１５が設けられている。この吹出口１５の内部には、複数のルーバーが設けられている。
【００１５】
前面操作パネルには、図１、図３および図４に示すように、表示基板７の主電源スイッチ１６に装着した操作部１７と、選択スイッチ１８に装着した操作部１９と、前記ガスセンサ６に対応する吸気孔２０とが設けられている。また、図６に示すリモコン３３からの信号を受信する受信素子２１に対応する透過部２２、ＬＥＤ２３ａ〜２３ｄに対応するにおいレベル表示部２４、ＬＥＤ２３ｅ，２３ｆに対応する自動風量設定表示部２５、ＬＥＤ２３ｇ〜２３ｉに対応する手動風量設定表示部２６、ＬＥＤ２３ｊ〜２３ｌに対応するタイマ時間表示部２７、ＬＥＤ２３ｍに対応する清浄フィルタ５のフィルタ交換表示部２８が設けられている。
【００１６】
前記制御基板２９は、図４に示すように、電源回路部３０と、負荷部品制御手段３１と、マイコン３２とを備えている。また、この制御基板２９には、ガスセンサ６を実装した前記表示基板７が接続されている。
【００１７】
前記電源回路部３０は、降圧型チョッパー方式等の周知の方法により降圧させて直流低電圧を得るスイッチング電源回路部からなる。ここで、このスイッチング電源回路部は、使用電力に拘わらず出力電圧が安定するという特性を有する。
【００１８】
前記負荷部品制御手段３１は、マイコン３２からの信号に応じてファン８を「自動」、「強」、「中」、「静音」のうち、ユーザが選択したいずれかの送風量となるように、ファン８に対する通電量を調整する。また、マイナスイオン発生装置１０に対する通電をオン、オフ制御するものである。
【００１９】
前記マイコン３２は、ＲＯＭを内蔵した周知のものである。このＲＯＭには、ファン８、マイナスイオン発生装置１０、および、複数のＬＥＤ２３ａ〜２３ｍからなる表示手段２３を制御するプログラムと、該プログラムで使用する判断基準となる設定データが記憶されている。
【００２０】
また、マイコン３２のＲＯＭには、出荷時に各負荷部品６，８ａ，１０，１６，１８，２１，２３の動作状況を検査するための検査プログラムが記憶されている。この検査プログラムは、商用電源に電源コードを接続する際に所定の操作を行うことにより実行され、ＬＥＤ２３ａ〜２３ｍ、スイッチ１６，１８、リモコン信号の受信素子２１、ガスセンサ６、ファン８のモータ８ａおよびマイナスイオン発生装置１０の動作状況を順次検査するものである。そのうち、リモコン信号の受信素子２１を検査する工程では、機器本体である空気清浄機１が実際に動作する範囲において、前記制御基板２９の回路が最高にノイズを発生する状態で前記負荷部品６，８ａ，１０，１６，１８，２１，２３を動作させ、その状態で前記受信素子２１によって前記リモコン３３からの信号を受信可能か否かを検査するように構成している。
【００２１】
前記リモコン３３は、図６に示すように、ケーシング３４の内部に図示しない回路基板を備え、この回路基板に動作設定操作用の４つのスイッチ３５ａ〜３５ｄと、操作されたスイッチ３５ａ〜３５ｄに応じた信号を出力する送信素子３６を設けた周知のものである。なお、スイッチ３５ａは、空気清浄機１の動作をオフするものである。スイッチ３５ｂは、自動運転モードを実行させるものである。スイッチ３５ｃは、ファン８の風量を「強」、「中」、「静音」のいずれかに順次選択して手動運転モードを実行させるものである。スイッチ３５ｄは、空気清浄機１の動作時間を「１」、「２」、「４」時間のいずれかに順次選択するものである。
【００２２】
次に、このような遠隔操作可能な空気清浄機１の動作について説明する。
この空気清浄機１のマイコン３２は、図７に示すように、電源が投入されると、ステップＳ１で、検査プログラムの実行操作がなされたか否かを検出する。そして、実行操作を検出した場合にはステップＳ２に進み、検査運転処理を実行する。また、実行操作を検出しない場合にはステップＳ３に進み、通常運転処理を実行する。
【００２３】
前記検査運転処理では、前述のように、ＬＥＤ２３ａ〜２３ｍ、スイッチ１６，１８、リモコン信号の受信素子２１、ガスセンサ６、ファン８のモータ８ａおよびマイナスイオン発生装置１０の動作状況を順次検査する。
【００２４】
これらの検査工程では、マイコン３２は、予め設定された検査条件で空気清浄機１を動作させ、設定された条件と一致する場合にはＬＥＤ２３ａ〜２３ｍを利用し、所定のＬＥＤ２３ａ〜２３ｍを点灯または点滅させることにより、その状況を検査官に報知する。そして、所定時間経過すると、または、検査官が所定のスイッチ１６，１８を操作すると、次の検査工程に遷移する。
【００２５】
なお、前記各負荷部品６，８ａ，１０，１６，１８，２１，２３の検査工程のうち、受信素子検査工程での検査条件、ＯＫ判定の場合の報知、および、遷移条件を以下の表１に示す。
【００２６】
【表１】
2004028489.tif 000003
【００２７】
前記表１に示すように、受信素子検査工程では、マイコン３２は、検査条件として、前記制御基板２９に実装した回路が最高にノイズを発生する動作環境で動作させる。ここで、この動作環境とは、実際に空気清浄機１を使用するうえで生じ得る動作モードで、電源回路部３０から供給する必要がある電力が最高となるものである。具体的には、ファン８のモータ８ａを「強」風で運転させ、マイナスイオン発生装置１０をオン状態とし、ガスセンサ６をオン状態とし、かつ、においレベル表示部２４のＬＥＤ２３ａ〜２３ｄ、手動風量設定表示部２６における「強」風を意味するＬＥＤ２３ｉ、タイマ時間表示部２７のＬＥＤ２３ｌ、および、フィルタ交換表示部２８のＬＥＤ２３ｍを点灯させる。
【００２８】
そして、検査官は、リモコン３３による遠隔操作で空気清浄機１の動作をオフするスイッチ３５ａを操作する。一方、マイコン３２は、その信号を受信するとＬＥＤ２３ｅ，２３ｆを点灯させる。
【００２９】
ＬＥＤ２３ｅ，２３ｆの点灯を確認すると、検査官は、自動運転モードで運転させるスイッチ３５ｂを操作する。一方、マイコン３２は、その信号を受信するとＬＥＤ２３ｇ，２３ｈを点灯させる。
【００３０】
ＬＥＤ２３ｇ，２３ｈの点灯を確認すると、検査官は、ファン８の風量を選択する手動運転モードで運転させるスイッチ３５ｃを操作する。一方、マイコン３２は、その信号を受信するとＬＥＤ２３ｉ，２３ｊを点灯させる。
【００３１】
ＬＥＤ２３ｉ，２３ｊの点灯を確認すると、検査官は、タイマによる動作時間を選択するスイッチ３５ｄを操作する。一方、マイコン３２は、その信号を受信するとＬＥＤ２３ｋ，２３ｌを点灯させる。
【００３２】
なお、前記受信素子検査工程では、マイコン３２は、６０秒継続すると、または、検査官により主電源スイッチ１６が２回操作されると、次のガスセンサ６の検査工程に遷移する。また、前記受信素子検査工程で、リモコン３３のスイッチ３５ａ〜３５ｄの操作に拘わらず所定のＬＥＤ２３ｅ〜２３ｌが点灯しなかった場合、検査官は、その空気清浄機１が各部品の精度誤差の累積により設計通りに動作できないと判断し、調整または部品交換を行う。
【００３３】
このように、本発明の空気清浄機１では、実際に動作する範囲において、制御基板２９の回路が最高にノイズを発生する状態でリモコン３３からの信号を受信する受信素子２１の検査工程を行うため、各部品の精度の誤差の累積により生じる受信素子２１での受信が不可能な状況になるという問題を確実に防止できる。
【００３４】
なお、本発明は前記実施形態の構成に限定されるものではない。
例えば、前記実施形態では、電源回路部３０は、降圧型チョッパー方式等の周知の方法により降圧させて直流低電圧を得るスイッチング電源回路部を適用したが、トランス方式の電源回路部３０を適用した場合でも同様の作用、効果を得ることができる。即ち、このトランス方式の電源回路部３０は、供給電力が大きくなると供給電圧が降圧する。そのため、前記表１に示す検査条件とすることにより、前記制御基板２９の回路の電圧は、実際に動作する範囲において、最高に降下した状態となる。
【００３５】
そのため、このように電圧が最高に降下する状態で受信素子検査工程を行うことにより、各部品の精度の誤差の累積により生じる受信素子２１での受信が不可能な状況になるという問題を確実に防止できる。
【００３６】
また、前記実施形態では、前記受信素子検査工程を搭載する電気製品として空気清浄機１を用いたが、リモコン３３によって遠隔操作可能とした電気製品であれば、いずれの製品でも適用でき、同様の作用、効果を得ることができる。
【００３７】
【発明の効果】
以上の説明から明らかなように、本発明の遠隔操作可能な電気製品では、実際に動作する範囲において、制御基板の回路が最高にノイズを発生する状態、または、最高に電圧が降下する状態でリモコンからの信号を受信する受信素子の検査工程を行うため、各部品の精度の誤差の累積により生じる受信素子での受信が不可能な状況になるという問題を確実に防止できる。
【図面の簡単な説明】
【図１】本発明の遠隔操作可能な電気製品である空気清浄機を示す前方斜視図である。
【図２】空気清浄機の後方斜視図である。
【図３】空気清浄機の断面図である。
【図４】操作パネルの正面図である。
【図５】空気清浄機の回路図である。
【図６】リモコンの正面図である。
【図７】マイコンによる制御の概略を示すフローチャートである。
【符号の説明】
１…空気清浄機（電気製品）、５…清浄フィルタ、６…ガスセンサ（負荷部品）、８…ファン、８ａ…モータ（負荷部品）、１０…マイナスイオン発生装置（負荷部品）、１６…主電源スイッチ、１８…選択スイッチ、２１…受信素子、２３ａ〜２３ｍ…ＬＥＤ（負荷部品）、２９…制御基板、３０…電源回路部、３１…負荷部品制御手段、３２…マイコン、３３…リモコン、３５ａ〜３５ｄ…スイッチ、３６…送信素子。
【図１】
2004028489.tif 000004
【図２】
2004028489.tif 000005
【図３】
2004028489.tif 000006
【図４】
2004028489.tif 000007
【図５】
2004028489.tif 000008
【図６】
2004028489.tif 000009
【図７】
2004028489.tif 000010